(57)【要約】  使い勝手の向上を図るため、電子機器は、近距離通信又はユーザの人体を介した通信が可能な通信部（１８，７０）と、第１通信部材（１１０ｂ）を備えた第１物体（９０）に前記ユーザが触れたときに、前記第１通信部材及び前記通信部を介して前記第１物体に関する情報を入力する第１入力部（６０）と、前記ユーザが前記第１物体を保持した状態で、第２通信部材（１１０ａ，１１０ｃ）を備えた第２物体（９４，９２）に前記ユーザが触れたときに、前記第２通信部材及び前記通信部を介して前記第２物体に関する情報を入力する第２入力部（６０）と、を備えている。
2013179883.tif 000002
【特許請求の範囲】
【請求項１】
近距離通信又はユーザの人体を介した通信が可能な通信部と、
第１通信部材を備えた第１物体に前記ユーザが触れたときに、前記第１通信部材及び前記通信部を介して前記第１物体に関する情報を入力する第１入力部と、
前記ユーザが前記第１物体を保持した状態で、第２通信部材を備えた第２物体に前記ユーザが触れたときに、前記第２通信部材及び前記通信部を介して前記第２物体に関する情報を入力する第２入力部と、を備えた電子機器。
【請求項２】
前記第１通信部材との通信が途切れたことを検出する検出部を備えた請求項１に記載の電子機器。
【請求項３】
前記検出部の検出結果と、前記第２入力部が入力する情報とに基づいて、前記第１物体の位置を推定する推定部を備えた請求項２に記載の電子機器。
【請求項４】
前記第２通信部材は、前記第１物体を収納可能な収納体に設けられており、
前記推定部は、前記第１物体が前記収納体に収納されているかどうかを推定する請求項３に記載の電子機器。
【請求項５】
前記第２物体は、前記ユーザが身につけるものであり、
前記第２入力部は、前記ユーザが前記第２物体を身に着けているときに前記第２通信部材及び前記通信部を介して情報を入力する請求項１〜４のいずれか一項に記載の電子機器。
【請求項６】
前記ユーザを撮像可能な撮像部を備えた請求項１〜５のいずれか一項に記載の電子機器。
【請求項７】
前記撮像部は、前記第１通信部材に対する前記ユーザによる接触に応じたタイミングで、前記ユーザを撮像する請求項６に記載の電子機器。
【請求項８】
前記撮像部が撮像を行っているときに、位置情報を検出する位置センサを備えた請求項６又は７に記載の電子機器。
【請求項９】
前記第１、第２入力部の少なくとも一方が前記情報を入力しているときに、位置情報を検出する位置センサを備えた請求項１〜８のいずれか一項に記載の電子機器。
【請求項１０】
前記第１通信部材に対する前記ユーザによる接触に応じたタイミングで、音声の録音を実行する録音部を備えた請求項１〜９のいずれか一項に記載の電子機器。
【請求項１１】
前記第１物体の位置を前記ユーザに報知する報知部を備えた請求項１〜１０のいずれか一項に記載の電子機器。
【請求項１２】
前記検出部が前記第１通信部材との通信が途切れたことを検出したときの情報を取得する情報取得部を備えた請求項２に記載の電子機器。
【請求項１３】
第１通信部材を備えた第１物体にユーザが触れたときに、前記第１通信部材を介して近距離通信又は前記ユーザの人体を介した人体通信が可能な第１通信部と、
前記第１通信部による前記第１物体との通信が途切れたときの情報を取得する情報取得部と、を備えた電子機器。
【請求項１４】
前記情報取得部は、前記第１物体との通信が途切れたときの時刻に関する情報と、場所に関する情報との少なくとも一方の情報を取得する請求項１３に記載の電子機器。
【請求項１５】
第２通信部材を備えた第２物体に前記ユーザが触れたときに、前記第２通信部材を介して近距離通信又は前記ユーザの人体を介した人体通信を行うことが可能な第２通信部を備えた請求項１３又は１４に記載の電子機器。
【請求項１６】
前記第２通信部による前記第２通信部材との通信が成立しているときに、前記第１通信部による前記第１通信部材との通信が成立しているかどうかを判別する判別部を備えた請求項１５に記載の電子機器。
【請求項１７】
前記判別部の判別結果に基づいて、前記第１物体の位置を推定する推定部を備えた請求項１６に記載の電子機器。
【請求項１８】
ポケットに設けられ、近距離通信又はユーザの人体を介した人体通信が可能な通信部と、
前記通信部により前記ポケットに関する情報を出力する出力部と、を備えた衣服。
【請求項１９】
前記出力部は前記ポケットに人体の一部が接触したことを出力する請求項１８に記載の衣服。
【請求項２０】
前記出力部は、前記ポケットの位置に関する情報を出力する請求項１８又は１９に記載の衣服。
【請求項２１】
前記通信部は、前記ポケットに着脱可能である請求項１８〜２０のいずれか一項に記載の衣服。
【請求項２２】
第１物体に設けられた第１通信部材と、前記第１物体を収納可能な第２物体に設けられた第２通信部材と通信可能な通信部と、
前記通信部の通信結果に基づいて、前記第２物体に前記第１物体が収納されているかどうかを判別する判別部と、を備えた電子機器。
【請求項２３】
前記判別部は、前記第１通信部材と前記通信部との通信が途切れたときに、前記第１物体がユーザの手から離れたと判断する請求項２２記載の電子機器。
【発明の詳細な説明】
【技術分野】
【０００１】
本発明は、電子機器及び衣服に関する。
【背景技術】
【０００２】
従来より、人体通信を用い、容易かつ正確に位置に関する行動履歴をユーザに報知することを可能にするシステムが提案されている（例えば、特許文献１参照）。
【先行技術文献】
【特許文献】
【０００３】
【特許文献１】特開２０１０−３９７８９号公報
【発明の概要】
【発明が解決しようとする課題】
【０００４】
従来のシステムでは、物体に触れたときのユーザの位置などを報知することはできる。しかしながら、例えば、物体が小物（例えば鍵）である場合に、小物をどこに片付けたかまではわからないため、使い勝手が良いとは言い難い。【０００５】
本発明は上記の課題に鑑みてなされたものであり、使い勝手の良い電子機器を提供することを目的とする。また、本発明は、使い勝手の良い衣服を提供することを目的とする。
【課題を解決するための手段】
【０００６】
本発明の電子機器は、近距離通信またはユーザの人体を介した通信が可能な通信部と、第１通信部材を備えた第１物体に前記ユーザが触れたときに、前記第１通信部材及び前記通信部を介して前記第１物体に関する情報を入力する第１入力部と、前記ユーザが前記第１物体を保持した状態で、第２通信部材を備えた第２物体に前記ユーザが触れたときに、前記第２通信部材及び前記通信部を介して前記第２物体に関する情報を入力する第２入力部と、を備えている。【０００７】
この場合において、前記第１通信部材との通信が途切れたことを検出する検出部を備えていてもよい。また、前記検出部の検出結果と、前記第２入力部が入力する情報とに基づいて、前記第１物体の位置を推定する推定部を備えていてもよい。この場合、前記第２通信部材は、前記第１物体を収納可能な収納体に設けられており、前記推定部は、前記第１物体が前記収納体に収納されているかどうかを推定することとしてもよい。【０００８】
本発明の電子機器において、前記第２物体は、前記ユーザが身につけるものであり、前記第２入力部は、前記ユーザが前記第２物体を身に着けているときに前記第２通信部材及び前記通信部を介して情報を入力することとしてもよい。また、前記ユーザを撮像可能な撮像部を備えていてもよい。この場合、前記撮像部は、前記第１通信部材に対する前記ユーザによる接触に応じたタイミングで、前記ユーザを撮像することとしてもよい。また、前記撮像部が撮像を行っているときに、位置情報を検出する位置センサを備えていてもよい。【０００９】
本発明の電子機器において、前記第１、第２入力部の少なくとも一方が前記情報を入力しているときに、位置情報を検出する位置センサを備えていてもよい。また、前記第１通信部材に対する前記ユーザによる接触に応じたタイミングで、音声の録音を実行する録音部を備えていてもよい。また、前記第１物体の位置を前記ユーザに報知する報知部を備えていてもよい。【００１０】
本発明の電子機器が検出部を備える場合、前記検出部が前記第１通信部材との通信が途切れたことを検出したときの情報を取得する情報取得部を備えていてもよい。【００１１】
本発明の電子機器は、第１通信部材を備えた第１物体にユーザが触れたときに、前記第１通信部材を介して近距離通信または前記ユーザの人体を介した人体通信が可能な第１通信部と、前記第１通信部による前記第１物体との通信が途切れたときの情報を取得する情報取得部と、を備える。【００１２】
この場合において、前記情報取得部は、前記第１物体との通信が途切れたときの時刻に関する情報と、場所に関する情報との少なくとも一方の情報を取得することができる。また、第２通信部材を備えた第２物体に前記ユーザが触れたときに、前記第２通信部材を介して近距離通信または前記ユーザの人体を介した人体通信を行うことが可能な第２通信部を備えていてもよい。この場合、前記第２通信部による前記第２通信部材との通信が成立しているときに、前記第１通信部による前記第１通信部材との通信が成立しているかどうかを判別する判別部を備えていてもよい。この場合、前記判別部の判別結果に基づいて、前記第１物体の位置を推定する推定部を備えていてもよい。【００１３】
本発明の衣服は、ポケットに設けられ、近距離通信またはユーザの人体を介した人体通信が可能な通信部と、前記通信部により前記ポケットに関する情報を出力する出力部と、を備えている。【００１４】
この場合において、前記出力部は前記ポケットに人体の一部が接触したことを出力することとしてもよい。また、前記出力部は、前記ポケットの位置に関する情報を出力することとしてもよい。また、前記通信部は、前記ポケットに着脱可能であることとしてもよい。【００１５】
本発明の電子機器は、第１物体に設けられた第１通信部材と、前記第１物体を収納可能な第２物体に設けられた第２通信部材と通信可能な通信部と、前記通信部の通信結果に基づいて、前記第２物体に前記第１物体が収納されているかどうかを判別する判別部と、を備えている。この場合において、前記判別部は、前記第１通信部材と前記通信部との通信が途切れたときに、前記第１物体がユーザの手から離れたと判断することとしてもよい。
【発明の効果】
【００１６】
本発明は、使い勝手が良い電子機器を提供できるという効果を奏する。また、本発明は、使い勝手の良い衣服を提供することができるという効果を奏する。
【図面の簡単な説明】
【００１７】
【図１】一実施形態に係る情報処理システムを利用しているユーザの状態を概略的に示す図である。
【図２】情報処理システムのブロック図である。
【図３】撮像部の撮像範囲を示す図である。
【図４】鍵の存在位置に関する情報の収集処理を示すフローチャートである。
【図５】図５（ａ）〜図５（ｃ）は、各モジュールと携帯機器との人体通信のタイミングと鍵の存在位置との関係を示す図（その１〜その３）である。
【図６】図６（ａ），図６（ｂ）は、各モジュールと携帯機器との人体通信のタイミングと鍵の存在位置との関係を示す図（その４、その５）である。
【図７】鍵位置推定テーブルの一例を示す図である。
【図８】鍵の存在場所の報知処理を示すフローチャートである。
【図９】図９（ａ），図９（ｂ）は、図８のステップＳ４２の処理を説明するための図（ディスプレイの表示例）である。
【発明を実施するための形態】
【００１８】
以下、一実施形態に係る情報処理システム２００について、図１〜図９に基づいて、詳細に説明する。図１は、情報処理システム２００を利用しているユーザの状態を概略的に示す図であり、図２は、情報処理システム２００のブロック図である。
【００１９】
図２に示すように、情報処理システム２００は、携帯機器１０と、図１のコート９４のポケット（図１では２つ）に装着されるポケット用モジュール１００ａと、鍵（例えば家の玄関の鍵）に設けられる鍵用モジュール１００ｂと、図１の鞄９２のポケットの口部分に設けられる鞄用モジュール１００ｃと、を備える。
【００２０】
携帯機器１０は、ユーザにより携帯された状態で利用される情報機器である。携帯機器１０としては、携帯電話、スマートフォン、ＰＨＳ（Personal Handy-phone System）、ＰＤＡ（Personal Digital Assistant）等を採用することができるが、本実施形態では、携帯機器１０は、スマートフォンであるものとする。携帯機器１０は、電話機能やインターネット等に接続するための通信機能、および、プログラムを実行するためのデータ処理機能等を有する。
【００２１】
携帯機器１０は、図２に示すように、ディスプレイ１２と、タッチパネル１４と、カレンダ部１６と、受信部１８と、電極部７０と、センサ部２０と、撮像部３０と、録音部３２と、画像解析部４０と、フラッシュメモリ５０と、制御部６０と、を有する。
【００２２】
ディスプレイ１２は、画像、各種情報およびボタン等の操作入力用画像を表示するものであり、一例として、液晶表示素子を用いたデバイスであるものとする。
【００２３】
タッチパネル１４は、ユーザが触れたことに応じた情報を制御部６０に対して入力することが可能なインタフェースである。タッチパネル１４は、ディスプレイ１２表面またはディスプレイ１２内に組み込まれているため、ユーザは、ディスプレイ１２の表面をタッチすることにより、種々の情報を直感的に入力することができる。
【００２４】
カレンダ部１６は、年、月、日、時刻といった時間情報を取得して、制御部６０に対して出力する。なお、カレンダ部１６は、更に計時機能を有しているものとする。
【００２５】
電極部７０は、信号電極とグラウンド電極とを有し、ユーザを介して各モジュール１００ａ〜１００ｃと人体通信するための電極である。なお、携帯機器１０をユーザが手で保持している場合はもちろん、胸ポケットなどに携帯機器１０が収納されている場合（すなわち、ユーザの体と携帯機器１０が対向している場合）にも、人体通信は可能である。
【００２６】
受信部１８はバンドパスフィルタを有する電気回路から構成され、通信用のモジュール（１００ａ〜１００ｃ）から送信される各種データを受信するものである。
【００２７】
センサ部２０は、各種センサを有している。本実施形態においては、センサ部２０は、ＧＰＳ（Global Positioning System）モジュール２１、生体センサ２２、姿勢センサ２３、温湿度計２４、加速度センサ２５を有しているものとする。
【００２８】
ＧＰＳモジュール２１は、携帯機器１０の位置（例えば緯度や経度）を検出するセンサである。
【００２９】
生体センサ２２は、携帯機器１０の一部（ユーザの手が触れやすい部分）に設けられ、携帯機器１０を保持するユーザの状態を取得するセンサである。生体センサ２２は、一例として、ユーザの体温、血圧、脈拍および発汗量等を取得する。このような生体センサ２２としては、一例として、特開２００１−２７６０１２号公報（米国特許６，５２６，３１５号）に開示されているような、発光ダイオードからユーザに向けて光を照射し、この光に応じてユーザから反射した光を受光することにより、脈拍を検出するセンサや、特開２００７−２１５７４９号公報（米国公開２００７−１９１７１８号）に開示されているような腕時計型の生体センサを採用することができる。
【００３０】
また、生体センサ２２としては、ユーザが携帯機器１０を保持している力に関する情報（例えば握力）を取得するセンサ（圧力センサ）を有しているものとする。このような圧力センサは、ユーザが携帯機器１０を保持したことや、携帯機器１０を保持する力の大きさを検出することができる。なお、後述する制御部６０は、圧力センサによりユーザが携帯機器１０を保持したことを検出した段階で、他の生体センサによる情報の取得を開始するようにしてもよい。また、制御部６０は、電源がオンとなっている状態において、圧力センサによりユーザが携帯機器１０を保持したことを検出した段階で、その他の機能をオンにする（あるいはスリープ状態から復帰する）ような制御を行うこととしてもよい。
【００３１】
姿勢センサ２３は、携帯機器１０の内部に設けられ、携帯機器１０の姿勢を検出することにより、後述する撮像部３０の姿勢を検出するものである。姿勢センサ２３としては、フォトインタラプタの赤外光を、重力によって移動する小球が遮断するか否かにより一軸方向の姿勢を検出するセンサを複数組み合わせた構成を採用することができる。ただし、これに限らず、姿勢センサ２３としては、３軸加速度センサやジャイロセンサなどを採用することとしてもよい。
【００３２】
温湿度計２４は、携帯機器１０の周囲の温度を検出する環境センサである。なお、温湿度計２４に代えて、温度計及び湿度計が携帯機器１０に別々に設けられてもよい。なお、温湿度計２４は、生体センサ２２によるユーザの体温を検出する機能と兼用される構成であってもよい。
【００３３】
加速度センサ２５は、圧電素子や歪ゲージなどを用いることができる。加速度センサ２５は、本実施形態ではユーザが立っているか座っているかを検出する。なお、加速度センサを用いてユーザが立っているか、座っているか、歩いているか、走っているかを検出する方法については、例えば日本特許第３５１３６３２号（特開平８−１３１４２５号公報）に開示されている。また、加速度センサ２５に代えて、もしくは加速度センサ２５と併用して角速度を検出するジャイロセンサを用いてもよい。
【００３４】
撮像部３０は、カメラを有し、ユーザからのタッチパネルを介した撮像指示や、制御部６０からの撮像指示に応じて撮像を行う。なお、撮像部３０は、図３に示すように、ユーザが携帯機器１０を操作している状態で、顔及び胸元までの範囲（図３に示す５００ｍｍ四方の範囲）を撮像できるように撮像方向や画角が調整・設定されているものとする。
【００３５】
録音部３２は、マイクを含み、制御部６０の指示に応じて携帯機器１０周辺の音声を集音し、録音する。
【００３６】
画像解析部４０は、服装検出部４１と、リサイズ部４２と、を有する。服装検出部４１は、撮像部３０により撮像されたユーザの衣服を検出するものである。リサイズ部４２は、撮像部３０が撮像した画像のうち、衣服部分のみを抜き出すトリミング処理を行ったりする。
【００３７】
フラッシュメモリ５０は、不揮発性の半導体メモリである。フラッシュメモリ５０は、制御部６０によって実行される携帯機器１０を制御するためのプログラム、および、携帯機器１０を制御するための各種パラメータ、後述する鍵位置推定テーブル（図７参照）等を記憶する。
【００３８】
制御部６０は、ＣＰＵを有し、携帯機器１０全体を統括的に制御する。本実施形態においては、制御部６０は、ユーザが鍵を利用した際に、鍵がどこに片付けられたかを推定し、報知するなどの処理を実行する。
【００３９】
ポケット用モジュール１００ａは、衣服のポケットの開口部分に設けられるモジュールであり、図２に示すように、電極部１１０ａ、送信部１１２ａ、制御部１１４ａ、メモリ１１６ａを有する。なお、本実施形態では、ポケット用モジュール１００ａはマジックテープ（登録商標）やボタンなどにより着脱自在であるものとする。
【００４０】
電極部１１０ａは、信号電極とグラウンド電極とを有し、ユーザを介して携帯機器１０と通信を行うための電極である。この電極部１１０ａは、コート９４のポケットのうち、ユーザの手に触れやすい位置に設けられている。なお、電極部１１０ａを用いた人体通信は、ユーザの手と電極部１１０ａが接触している場合はもちろん、ユーザが手袋をしている場合や袖を介してユーザの腕と電極部１１０ａとが接触している場合（すなわち、ユーザの体と電極部１１０ａが対向している場合）であっても、実現可能である。
【００４１】
送信部１１２ａは、バンドパスフィルタを有した電気回路から構成され、メモリ１１６ａに記憶されているデータを、電極部１１０ａや人体を介して携帯機器１０に送信するものである。
【００４２】
制御部１１４ａは、携帯機器１０へのデータ送信を制御する。メモリ１１６ａは、ポケット用モジュール１００ａの個体番号等を記憶している。本実施形態では、制御部１１４ａは、電極部１１０ａを介した携帯機器１０との人体通信が可能な場合に、送信部１１２ａを制御して、メモリ１１６ａに記憶されている個体番号を携帯機器１０に対して送信する。
【００４３】
鍵用モジュール１００ｂは、図１に示すように、鍵の一部（ユーザの手が触れる部分）に設けられており、ポケット用モジュール１００ａと同様、電極部１１０ｂ、送信部１１２ｂ、制御部１１４ｂ、メモリ１１６ｂを有する。なお、各部の詳細は、上述したポケット用モジュール１００ａの各部と同様であるので、説明を省略するものとする。なお、メモリ１１６ｂは、鍵用モジュールの個体番号を記憶しているものとする。すなわち、本実施形態では、制御部１１４ｂは、電極部１１０ｂを介した携帯機器１０との人体通信が可能な場合に、送信部１１２ｂを制御して、メモリ１１６ｂに記憶されている個体番号を携帯機器１０に対して送信する。なお、鍵用モジュール１００ｂは、鍵に予め取り付けられている（埋め込まれている）こととしてもよいし、鍵に装着可能な装着部材に設けられていてもよい。
【００４４】
鞄用モジュール１００ｃは、鞄の一部（ユーザが鞄のポケットの中に手を入れたときに、手が触れる部分）に設けられており、ポケット用モジュール１００ａと同様、電極部１１０ｃ、送信部１１２ｃ、制御部１１４ｃ、メモリ１１６ｃを有する。なお、各部の詳細は、上述したポケット用モジュール１００ａの各部と同様であるので、説明を省略するものとする。なお、メモリ１１６ｃは、鞄用モジュール１００ｃの個体番号を記憶しているものとする。本実施形態では、制御部１１４ｃは、電極部１１０ｃを介した携帯機器１０との人体通信が可能な場合に、送信部１１２ｃを制御して、メモリ１１６ｃに記憶されている個体番号を携帯機器１０に対して送信する。
【００４５】
次に、本実施形態における鍵の存在位置に関する情報の収集処理について、図４のフローチャートに沿って、かつその他図面を適宜参照しつつ、詳細に説明する。
【００４６】
なお、図４のフローチャートは、携帯機器１０の電源がＯＮになっている状態、又はスリープモードとなっている状態（ユーザによる操作が一定時間なく、消費電力の大きい素子への電力供給が行われていない状態）で開始されるものとする。
【００４７】
図４の処理では、ステップＳ１２において、制御部６０が、鍵９０（鍵用モジュール１００ｂ）と携帯機器１０との人体通信が成立するまで待機する。この場合、鍵用モジュール１００ｂと携帯機器１０との人体通信が成立し、鍵用モジュール１００ｂの送信部１１２ｂから鍵用モジュール１００ｂの個体番号が送信されてきた段階で、次のステップＳ１４に移行する。
【００４８】
ステップＳ１４に移行すると、制御部６０は、ポケット用モジュール１００ａ及び鞄用モジュール１００ｃと、携帯機器１０と、の間の人体通信のモニタを開始する。なお、制御部６０は、このモニタを行っているときに、ＧＰＳモジュール２１による位置計測を行うとともに、カレンダ部１６による時刻検出を行い、モニタ結果と、位置計測結果、時刻検出結果をフラッシュメモリ５０に記憶するようにしてもよい。
【００４９】
次いで、ステップＳ１６で制御部６０は、鍵９０（鍵用モジュール１００ｂ）と携帯機器１０との人体通信が終了するまで待機する。この場合、制御部６０は、鍵用モジュール１００ｂの送信部１１２ｂから鍵用モジュール１００ｂの個体番号が送信されなくなった段階で、次のステップＳ１８に移行する。
【００５０】
ステップＳ１８で制御部６０は、鍵用モジュール１００ｂと携帯機器１０との人体通信が終了した時点において、ポケット用モジュール１００ａ及び鞄用モジュール１００ｃと、携帯機器１０との人体通信が継続しているか否かを判断する。ここでの判断が肯定された場合に制御部６０は、ステップＳ２０に移行し、否定された場合には、ステップＳ２２に移行する。
【００５１】
ここで、各モジュールと携帯機器１０とが人体通信するタイミングと鍵の存在位置との関係について、図５（ａ）〜図６（ｂ）に基づいて説明する。
【００５２】
図５（ａ）は、２つのポケットのうちの１つ（ポケット１）の中からユーザが鍵を取り出し、鍵を使用した後にポケット１に鍵を戻した場合における、人体通信のＯＮ／ＯＦＦの遷移を示している。この図５（ａ）からは、ユーザが鍵に触れている状態で、ポケット１に手を入れ（図５（ａ）の時点Ａ：ポケット１との人体通信が成立した（ＯＮした）時点）、ポケット１に手を入れた状態で鍵から手を離し（時点Ｂ：鍵との人体通信が途切れた（ＯＦＦした）時点）、その後、ポケット１から手を出した（時点Ｃ：ポケット１との人体通信が途切れた（ＯＦＦした）時点）ことが読み取れる。
【００５３】
図５（ｂ）は、２つのポケットのうちの１つ（ポケット１）の中からユーザが鍵を取り出し、鍵を使用した後、先ほどとは異なるポケット（ポケット２）に鍵を入れた場合における、人体通信のＯＮ／ＯＦＦの遷移を示している。この図５（ｂ）からは、ユーザが鍵に触れている状態で、ポケット２に手を入れ（図５（ｂ）の時点Ｄ：ポケット２との人体通信が成立した（ＯＮした）時点）、ポケット２に手を入れた状態で鍵から手を離し（時点Ｅ：鍵との人体通信が途切れた（ＯＦＦした）時点）、その後、ポケット２から手を出した（時点Ｆ：ポケット２との人体通信が途切れた（ＯＦＦした）時点）ことが読み取れる。
【００５４】
図５（ｃ）には、２つのポケットのうちの１つ（ポケット１）の中からユーザが鍵を取り出し、鍵を使用した後、鞄に鍵を入れた場合における、人体通信のＯＮ／ＯＦＦの遷移を示している。この図５（ｃ）からは、ユーザが鍵に触れている状態で、鞄に手を入れ（図５（ｃ）の時点Ｇ：鞄９２との人体通信が成立した（ＯＮした）時点）、鞄に手を入れた状態で鍵から手を離し（時点Ｈ：鍵との人体通信が途切れた（ＯＦＦした）時点）、その後、鞄から手を出した（時点Ｉ：鞄９２との人体通信が途切れた（ＯＦＦした）時点）ことが読み取れる。
【００５５】
図６（ａ）には、２つのポケットのうちの１つ（ポケット１）の中からユーザが鍵を取り出し、鍵を使用した後にポケット１に鍵を戻した場合における、人体通信のＯＮ／ＯＦＦの遷移を示している。この図６（ａ）の場合、ユーザが一方の手で鍵に触れている状態で、ポケット１に当該一方の手を入れ（図６（ａ）の時点Ｊ：ポケット１との人体通信が成立した（ＯＮした）時点）、その状態で鍵から手を離し（時点Ｋ：鍵との人体通信が途切れた（ＯＦＦした）時点）、その後、ポケット１から手を出した（時点Ｌ：ポケット１との人体通信が途切れた（ＯＦＦした）時点）のか、あるいは、ポケット２に他方の手を入れて、ポケット２に入っていた鍵をポケット２の中で長時間触っていただけなのかが不明である。しかしながら、このような場合においても、制御部６０は、ポケット１又はポケット２のいずれかに鍵が入っていることを認識することができる。また、制御部６０は、鍵９０、ポケット１、ポケット２、鞄９２の人体通信のログを取得してフラッシュメモリ５０に記憶させることにより、ユーザがポケット２に手を入れておく癖があることを認識できたり、鍵などの小物を通常はポケット１に入れておく習慣があることなどを認識できたりする。また、鍵などを入れておくポケットが服装に応じて異なる場合には、制御部６０は服装毎に上述のログを取得することによりユーザの行動や癖を認識する（予測する）ことができる。
【００５６】
図６（ｂ）には、ポケット１から鍵を取り出し、使用した後、鍵を服及び鞄とは別の場所に置いた場合における、人体通信のＯＮ／ＯＦＦの遷移を示している。この図６（ｂ）の場合、鍵用モジュール１００ｂと携帯機器１０との人体通信が終了した時点でポケット２と携帯機器１０との人体通信が行われているものの、ポケット１に入っていた鍵を一方の手で使用して別の場所においたのか、ポケット２に入っている他方の手で、ポケット２に入っている鍵を長時間触っていただけなのかは不明である。しかしながら、このような場合においても、制御部６０は、ポケット１に鍵が入っている可能性があることや、鞄９２には鍵が入っている可能性が無いことを認識することができ、鍵のありかを十分推定することができる。また、上述したように人体通信のログを用いればユーザの行動や癖を取得できるので、鍵のある場所を推定することができる。
【００５７】
なお、図５（ａ）〜図６（ｂ）に示した人体通信のＯＮ／ＯＦＦの遷移は一例である。すなわち、人体通信用のモジュールの数等に応じて、種々のＯＮ／ＯＦＦの遷移が発生すると考えられるが、制御部６０は、鍵のある場所の推定や、鍵のない場所の推定を行うことができる。
【００５８】
図４に戻り、ステップＳ２０に移行した場合には、制御部６０は、上述したような手順で、鍵の存在位置を推定するようにする。その後は、ステップＳ２４に移行する。
【００５９】
一方、ステップＳ２２に移行した場合には、制御部６０は、鍵用モジュール１００ｂとの人体通信が終了した時点で、ポケット用モジュール１００ａや鞄用モジュール１００ｃとは人体通信が行われていないため、少なくともポケットや鞄には鍵がない（鍵の存在位置が不明）と推定する。その後は、ステップＳ２４に移行する。
【００６０】
ステップＳ２４に移行すると、制御部６０は、撮像部３０によってユーザの衣服を撮像可能か否かを判断する。この場合、制御部６０は、生体センサ２２の検出結果に基づいてユーザが携帯機器１０を保持しており、かつ、姿勢センサ２３の検出結果に基づいて携帯機器１０が図３に示すような姿勢となっているか否かを判断する。ここでの判断が肯定された場合には、ステップＳ２６に移行し、撮像部３０による撮像と、録音部３２による録音を実行する。なお、このステップＳ２６では、鍵との人体通信が終了したタイミング（鍵から手を離したタイミング）で、ユーザの服装やユーザ周囲の音や音声をモニタしているといえる。なお、撮像部３０による撮像のタイミングは、生体センサ２２の検出結果と姿勢センサ２３の検出結果とに基づいて適宜行うようにしてもよい。
【００６１】
一方、ステップＳ２４の判断が否定された場合には、ステップＳ２８に移行し、制御部６０は、撮像部３０による撮像を行わずに、録音部３２による録音のみを実行する。ステップＳ２６，Ｓ２８のいずれかの処理の後は、ステップＳ３０に移行する。
【００６２】
ステップＳ３０に移行すると、制御部６０は、ＧＰＳモジュール２１による位置計測及びカレンダ部１６による時刻検出が可能か否かを判断する。ここでの判断の少なくとも一方が肯定された場合には、ステップＳ３２において、制御部６０は、ＧＰＳモジュール２１を用いた位置計測と、カレンダ部１６による時刻検出との少なくとも一方を実行し、その後は、ステップＳ３４に移行する。一方、ステップＳ３０の判断が否定された場合には、ステップＳ３２を経ずに、ステップＳ３４に移行する。なお、制御部６０は、撮像や録音の処理と位置計測および時刻検出の処理を同時に行うこととしてもよい。
【００６３】
ステップＳ３４に移行すると、制御部６０は、鍵位置推定テーブルに得られた情報を格納する。図７には、鍵位置推定テーブルの一例が示されている。この図７に示すように、鍵位置推定テーブルは、日時、鍵の推定存在位置、撮像画像、音声データ、位置情報の各フィールドを有している。日時のフィールドには、鍵用モジュール１００ｂとの人体通信が終了した時点の日時（カレンダ部１６から取得可能）が入力される。鍵の推定存在位置のフィールドには、ステップＳ２０又はステップＳ２２における推定結果が入力される。撮像画像のフィールドには、ステップＳ２６の撮像結果（撮像データのファイル名）が入力される。音声データのフィールドには、ステップＳ２０又はＳ２２の録音結果（音声データのファイル名）が入力される。位置情報のフィールドには、ステップＳ３２で計測された位置情報（緯度、経度）から導き出せる地点情報（予め登録されている自宅や学校、職場などの地点情報）が入力される。
【００６４】
以上のようにして、ステップＳ３４が終了すると、ステップＳ１２に戻る。そして、以降は、ステップＳ１２〜Ｓ３４の処理・判断が繰り返される（図７の鍵位置推定テーブルに情報が蓄積され続ける）ことになる。
【００６５】
次に、図８のフローチャートに沿って、鍵の存在場所の報知処理について説明する。
【００６６】
図８の処理では、制御部６０は、ステップＳ４０において、ユーザによってタッチパネル１４を介した鍵位置の通知要求が出されるまで待機する。ユーザが鍵位置の通知要求を出すと、ステップＳ４２に移行し、制御部６０は、鍵位置推定テーブルの最新の情報をディスプレイ１２上に表示する。なお、通知要求は、例えば音声認識等により入力することとしてもよい。この場合、ユーザは、録音部３２のマイクに対して「鍵」や「鍵はどこだ？」などの単語、文章を発することで、鍵位置をディスプレイ１２上に表示させることができる。
【００６７】
なお、ディスプレイ１２上には、図９（ａ）や図９（ｂ）に示すような情報が表示されるものとする。なお、画像を表示する際には、服装検出部４１により検出される衣服の部分をリサイズ部４２においてリサイズ（トリミング）して、表示するようにすればよい。なお、制御部６０は、図９（ａ）の鍵を最後に触れたときの画像に代えて、鍵を最後に触れたときの前後の服装の画像をディスプレイ１２に表示してもよい。また、図９（ｂ）に示すように、推定存在位置が不明で、撮像画像がなく、位置情報も計測できていないような場合であっても、録音された音声によって、ユーザは鍵を置いた位置を思い出すことができる可能性がある。例えば、鍵を置いた直後に発せられた音（例えば足音（スリッパの音）やドアを開ける又は閉める音、鍵以外の物を触った音、「ただいま」と発した声や家族との会話など）が録音されていれば、それらの音から記憶を辿ることができる。なお、制御部６０は、鍵に最後に触れた位置が不明な場合に、ＧＰＳモジュール２１の出力と、人体通信の履歴から鍵に最後に触れたと思われる領域（例えば、家から駅の間）を文字や地図などでディスプレイ１２に表示してもよい。なお、図９（ａ）や図９（ｂ）では、鍵に最後に触れた日時の情報を表示しても勿論よい。
【００６８】
なお、本実施形態では、図８で説明したように、ユーザからの通知要求があった場合に、鍵に関する情報を報知する場合について説明したが、これに限られるものではない。例えば、服の内側にモジュールを設けておき、服と携帯機器１０との人体を介した通信が終了した時点（すなわち、服を脱いだ時点）で、鍵に関する情報をディスプレイ１２上に表示する（報知する）ようにしてもよい。このようにすることで、適切なタイミングで、鍵に関する情報を報知することができる。また、服と携帯機器１０との人体通信が再開されたとき（すなわち、服を着て外に出かける可能性が高いとき）に、鍵に関する情報を報知するようにしてもよい。なお、鍵に関する情報を報知するタイミングに関してはユーザが設定しても良いし、上述したタイミングとは異なるタイミングを採用してもよい。
【００６９】
以上、詳細に説明したように、本実施形態によると、鍵９０に設けられた電極部１１０ｂにユーザが触れたときに、電極部１１０ｂ及び電極部７０、受信部１８を介して鍵９０に関する情報（鍵用モジュール１００ｂの個体番号等）が制御部６０に入力され（Ｓ１２）、ユーザが鍵９０を保持した状態で、電極部１１０ａ又は１１０ｃ）に触れたときに、電極部１１０ａ又は１１０ｃ及び電極部７０、受信部１８を介してポケットや鞄に関する情報（ポケット用モジュール１００ａ又は鞄用モジュール１００ｃの個体番号等）が制御部６０に入力される（Ｓ１４）。これにより、本実施形態では、制御部６０は、鍵を保持した手をポケットや鞄に入れたか否かを判定することができるので、鍵の存在場所がポケットや鞄の中であるか否かの判定を適切に行うことができる。このように、鍵を見つけやすくなるという点から、本実施形態の携帯機器１０は使い勝手が向上しているといえる。なお、キーホルダーに鍵を取り付ける場合には、キーホルダーに人体通信用のモジュールを設けるようにしてもよい。
【００７０】
また、本実施形態によると、制御部６０は、電極部１１０ｂとの通信が途切れたことを検出する（Ｓ１６）ので、当該電極部１１０ｂとの通信が途切れた時点におけるポケット用モジュール１００ａや鞄用モジュール１００ｃとの通信状態に基づいて、鍵の位置を適切に推定することができる。
【００７１】
また、本実施形態では、ユーザが鍵用モジュール１００ｂの電極部１１０ｂに触れたタイミングで、撮像部３０がユーザを撮像する（Ｓ２６）ので、ユーザは当該撮像画像を見ることで、鍵に触れたタイミングにおけるユーザの状態（着ている服など）に基づいて、鍵の存在位置を適切に推定することができる。また、撮像部３０が撮像を行ったときに、ＧＰＳモジュール２１を用いて位置情報を検出する（Ｓ３２）ので、制御部６０（又はユーザ）は、位置情報に基づいて、鍵が自宅に存在するのか自宅外（例えば会社）に存在するのか等を適切に推定することができる。
【００７２】
また、本実施形態では、ユーザが鍵用モジュール１００ｂの電極部１１０ｂに触れたタイミングで、録音部３２を用いた録音を行う（Ｓ２６，Ｓ２８）ので、ユーザは鍵に触れたタイミングにおいてユーザ又はユーザの周辺で発せられた音声を聞くことにより、鍵の存在位置を適切に推定することができる。
【００７３】
また、本実施形態では、ポケット用モジュール１００ａがポケットに対して着脱可能とされているので、着用する衣服に対して都度装着することができる。これにより、ポケット用モジュールを衣服に固定する（縫い付け等する）場合と比較して、ポケット用モジュールの数を減らすことができるので、コストダウンを図ることができる。また、衣服のクリーニング時にポケット用モジュールを取り外すことができるので、ポケット用モジュールに要求される防水性能を低下させることができる。この点からも、ポケット用モジュールのコストダウンを図ることができる。ただし、ポケット用モジュールは、ポケットに固定する（縫い付ける）こととしてもよい。この場合、どのポケット用モジュールがどの衣服のどのポケットに固定されているかをメモリ１１６ａに記憶しておけば、ユーザに対する鍵の存在位置の報知の際に、より詳細な鍵の位置を報知することができる。
【００７４】
なお、上記実施形態では、ポケットや鞄に人体通信用のモジュールを設ける場合について説明したが、これに限られるものではない。例えば、自宅で鍵を保管する小物入れや、引き出し、クローゼットなどに人体通信用のモジュールを設けることとしてもよい。このようにすることで、制御部６０は、鍵の位置をより正確に報知することが可能となる。
【００７５】
なお、上記実施形態では、鍵に人体通信用のモジュールを設け、制御部６０が、鍵の存在位置を推定する場合について説明したが、これに限られるものではない。例えば、財布、アクセサリ、クレジットカードなどのカード類、一眼レフカメラのレンズキャップ、重要書類などの物体に人体通信用のモジュールを設けることとしてもよい。また、バッグ（鞄）の取っ手などに人体通信用のモジュールを設け、人体通信が終了したとき（途切れたとき）の位置をＧＰＳモジュール２１で取得することで、制御部６０は、バッグを置いた場所（忘れた場所）をユーザに対して報知することができるようになる。この場合に、人体通信が終了したとき（途切れたとき）の時刻をカレンダ部１６により取得することで、制御部６０はバッグを置き忘れた時刻をユーザに対して報知することができるようになる。
【００７６】
なお、上記実施形態では、撮像部３０が携帯機器１０に設けられている場合について説明したが、これに限られるものではない。例えば、メガネに撮像部３０を設けておき、鍵との人体通信が終了したタイミングで、ユーザの視野とほぼ同一の範囲を撮像するようにしてもよい。なお、この場合の撮像部３０と携帯機器１０との通信は、近接通信であってもよいし、人体通信であってもよい。なお、メガネに限らず、帽子やネックレスなどのユーザが身につける物体に撮像部３０を設けることとしてもよい。
【００７７】
なお、上記実施形態の携帯機器１０の機能を、例えば腕時計、メガネ、補聴器などのユーザが身につける物体に持たせることとしてもよい。
【００７８】
なお、上記実施形態では、各モジュールと携帯機器１０との間で人体通信が行われる場合について説明したが、これに限らず、各モジュールと携帯機器１０との間の通信として近接通信を採用してもよい。
【００７９】
上述した実施形態は本発明の好適な実施の例である。但し、これに限定されるものではなく、本発明の要旨を逸脱しない範囲内において種々変形実施可能である。なお、これまでの説明で引用した公報、米国特許出願公開明細書及び米国特許明細書の開示を援用して本明細書の記載の一部とする。
【符号の説明】
【００８０】
１２  ディスプレイ
１６  カレンダ部
１８  受信部
２１  ＧＰＳモジュール
３０  撮像部
３２  録音部
６０  制御部
７０  電極部
９０  鍵
９２  鞄
９４  コート
１１０ａ  電極部
１１０ｃ  電極部
１１２ａ  送信部
１１４ａ  制御部
【図１】
2013179883.tif 000003
【図２】
2013179883.tif 000004
【図３】
2013179883.tif 000005
【図４】
2013179883.tif 000006
【図５】
2013179883.tif 000007
【図６】
2013179883.tif 000008
【図７】
2013179883.tif 000009
【図８】
2013179883.tif 000010
【図９】
2013179883.tif 000011
【国際調査報告】
2013179883.tif 000012
2013179883.tif 000013